(57)【要約】【課題】  飲料水を収容した水タンクを、簡単に、しかも外部からの雑菌の侵入を防いで衛生的に吸水流路に接続させることができる飲料用給水機の提供。【解決手段】  水タンク４の筒状口部４０を、弁付キャップ５の外筒部５０の内周面と薄肉上面壁５１の外周面の間に挿入させた装着状態で、吐水口管５２が閉鎖されるように形成される。吸水流路１の基端に設けた接続管１０を弁付キャップの吐水口管内に挿入嵌合して接続することにより、接続管の先端部によって薄肉上面壁が押上げ変形されて吐水口管が開放し、水タンク内と吸水流路とが連通するように形成されている。【選択図】  図５
2006117248.tif 000002
【特許請求の範囲】
【請求項１】
飲料水を収容した水タンクに着脱可能に接続させる吸水口が形成された吸水流路と、この吸水流路に設けたポンプにより水タンクから吸水させた飲料水を冷却タンクで冷却して冷水吐出口から取り出す冷水流路及び／又は前記飲料水を温水タンクで加熱して温水吐出口から取り出す温水流路とが形成された飲料用給水機において、
前記水タンクの筒状口部に弁付キャップが着脱可能に装着され、
この弁付キャップは、外筒部と、この外筒部の内周上部から下向き湾曲状に突出した薄肉上面壁と、外筒部に突設した吐水口管を備え、
前記水タンクの筒状口部を、前記弁付キャップの外筒部内周面と薄肉上面壁の外周面の間に挿入させた弁付キャップの装着状態で、前記吐水口管が閉鎖されるように形成され、
前記吸水流路の基端に接続管が設けられ、この接続管を前記弁付キャップの吐水口管内に挿入嵌合して接続することにより、この接続管の先端部によって前記薄肉上面壁が押上げ変形されて吐水口管が開放し、水タンク内と吸水流路とが連通するように形成されていることを特徴とした飲料用給水機。
【請求項２】
請求項１記載の飲料用給水機において、弁付キャップの吐水口管と、吸水流路の接続管がテーパ嵌合するように形成されている飲料用給水機。
【請求項３】
請求項１又は２記載の飲料用給水機において、弁付キャップの薄肉上面壁に、該薄肉上面壁を引上げ変形させて吐水口管を開放させるための手動開放手段が設けられている飲料用給水機。
【請求項４】
飲料水を収容した水タンクに着脱可能に接続させる吸水口が形成された吸水流路と、この吸水流路に設けたポンプにより水タンクから吸水させた飲料水を冷却タンクで冷却して冷水吐出口から取り出す冷水流路及び／又は前記飲料水を温水タンクで加熱して温水吐出口から取り出す温水流路とが形成された飲料用給水機において、
前記水タンクの筒状口部に弁付キャップが着脱可能に装着され、
この弁付キャップは、外筒部と、この外筒部の内周上部から下向き湾曲状に突出した薄肉上面壁と、外筒部に形成した吐水口管と、薄肉上面壁を引上げ変形させて吐水口管を開放させるための手動開放手段と、この手動開放手段を引き上げ状態に保持させる保持手段を備え、
前記水タンクの筒状口部を、前記弁付キャップの外筒部内周面と薄肉上面壁の外周面の間に挿入させた弁付キャップの装着状態で、前記吐水口管が閉鎖されるように形成され、
前記吸水流路の基端に弁付ソケットが設けられ、この弁付ソケット内に前記弁付キャップの吐水口管が挿入嵌合して接続することにより、弁付ソケット内の弁体が開放し、水タンク内と吸水流路とが連通するように形成されていることを特徴とした飲料用給水機。
【発明の詳細な説明】
【技術分野】
【０００１】
本発明は、一般家庭や各種のイベント会場、料飲店、会社等に設置され、温水及び／又は冷水を取り出すことができる飲料用給水機に関し、特に、水タンクと吸水流路との接続構造に関する。
【背景技術】
【０００２】
従来、飲料用給水機として、飲料水を収容した水タンクに着脱可能に接続させる吸水口が形成された吸水流路と、この吸水流路に設けたポンプによって水タンクから吸水させた飲料水を冷却タンクで冷却して冷水吐出口から取り出す冷水流路及び／又は前記飲料水を温水タンクで加熱して温水吐出口から取り出す温水流路とが形成されたものが知られている。
【０００３】
このような飲料用給水機では、飲料水を収容した水タンクを、簡単に、しかも外部から雑菌の侵入を防いで衛生的に吸水流路に接続させることが要求される。
【０００４】
従来の飲料用給水機において、水タンクと吸水流路との接続構造として、水タンクの筒状口部に、破損可能な膜体を有するキャップを取り付け、このキャップに吸水流路の基端を取り付ける際に、その基端に設けた針口により前記膜体を破損させることにより、筒状口部と吸水流路を連通させる構造のものが知られている（特許文献１参照）。
【０００５】
しかしながら、このような接続構造では、水タンクを交換する度に、キャップの膜体が破損するため、このキャップを繰り返し使用することができず、いわゆる使い捨てになるため、無駄が生じるという問題があった。
【０００６】
尚、従来、水タンクの蛇口として、外筒部と、この外筒部の内周上部から下向き湾曲状に突出した薄肉上面壁と、外筒部に形成した吐水口管と、薄肉上面壁を引上げ変形させて吐水口管を開放させるための指掛けリングを備えた弁付キャップ蛇口がある。
この弁付キャップ蛇口は、指掛けリングを引くことで薄肉上面壁を引上げ変形させて吐水口管を開放させ、水タンク内の水を吐水口管から吐出させるようにしたもので、あくまで蛇口としての機能しかなく、水タンクと吸水流路との接続構造に使用したものはない。
【特許文献１】特開２００２−１６０７６５号公報
【発明の開示】
【発明が解決しようとする課題】
【０００７】
本発明は、飲料水を収容した水タンクを、簡単に、しかも外部からの雑菌の侵入を防いで衛生的に吸水流路に接続させることができる飲料用給水機を提供することを課題としている。
【課題を解決するための手段】
【０００８】
上記の課題を解決するために、本発明（請求項１）の飲料用給水機は、
飲料水を収容した水タンクに着脱可能に接続させる吸水口が形成された吸水流路と、この吸水流路に設けたポンプにより水タンクから吸水させた飲料水を冷却タンクで冷却して冷水吐出口から取り出す冷水流路及び／又は前記飲料水を温水タンクで加熱して温水吐出口から取り出す温水流路とが形成された飲料用給水機において、
前記水タンクの筒状口部に弁付キャップが着脱可能に装着され、
この弁付キャップは、外筒部と、この外筒部の内周上部から下向き湾曲状に突出した薄肉上面壁と、外筒部に突設した吐水口管を備え、
前記水タンクの筒状口部を、前記弁付キャップの外筒部内周面と薄肉上面壁の外周面の間に挿入させた弁付キャップの装着状態で、前記吐水口管が閉鎖されるように形成され、
前記吸水流路の基端に接続管が設けられ、この接続管を前記弁付キャップの吐水口管内に挿入嵌合して接続することにより、この接続管の先端部によって前記薄肉上面壁が押上げ変形されて吐水口管が開放し、水タンク内と吸水流路とが連通するように形成されている構成とした。
【０００９】
前記請求項１記載の飲料用給水機において、弁付キャップの吐水口管と、吸水流路の接続管がテーパ嵌合するように形成されている態様（請求項２）がある。
【００１０】
前記請求項１又は２記載の飲料用給水機において、弁付キャップの薄肉上面壁に、該薄肉上面壁を引上げ変形させて吐水口管を開放させるための手動開放手段が設けられている態様（請求項３）がある。
【００１１】
又、本発明（請求項４）の飲料用給水機は、
飲料水を収容した水タンクに着脱可能に接続させる吸水口が形成された吸水流路と、この吸水流路に設けたポンプにより水タンクから吸水させた飲料水を冷却タンクで冷却して冷水吐出口から取り出す冷水流路及び／又は前記飲料水を温水タンクで加熱して温水吐出口から取り出す温水流路とが形成された飲料用給水機において、
前記水タンクの筒状口部に弁付キャップが着脱可能に装着され、
この弁付キャップは、外筒部と、この外筒部の内周上部から下向き湾曲状に突出した薄肉上面壁と、外筒部に形成した吐水口管と、薄肉上面壁を引上げ変形させて吐水口管を開放させるための手動開放手段と、この手動開放手段を引き上げ状態に保持させる保持手段を備え、
前記水タンクの筒状口部を、前記弁付キャップの外筒部内周面と薄肉上面壁の外周面の間に挿入させた弁付キャップの装着状態で、前記吐水口管が閉鎖されるように形成され、
前記吸水流路の基端に弁付ソケットが設けられ、この弁付ソケット内に前記弁付キャップの吐水口管が挿入嵌合して接続することにより、弁付ソケット内の弁体が開放し、水タンク内と吸水流路とが連通するように形成されている構成とした。
【発明の効果】
【００１２】
本発明の飲料用給水機では、水タンクを吸水流路に接続しない状態では、筒状口部に装着した弁付キャップの吐水口管が閉鎖されているため、この吐水口管からの雑菌の侵入を防止でき、衛生面を確保できる。
【００１３】
又、本発明（請求項１）では、接続管を吐水口管内に挿入嵌合すれば、吐水口管がソケットとして機能し、接続管がプラグとして機能するカプラ構造が形成される。
そして、接続管の吐水口管への挿入嵌合によって、薄肉上面壁が押上げ変形されて吐水口管が開放し、水タンク内と吸水流路とが連通するため、その接続作業と連通作業を同時に行なうことができ、接続作業が簡単になる。
【００１４】
又、吐水口管と接続管をテーパ嵌合させると（請求項２）、その嵌合状態を確実に保持させることができる。
【００１５】
又、手動開放手段を設けると（請求項３）、水タンクを吸水流路に接続しない状態おいて、必要に応じて吐水口管を開放させることができる。
【００１６】
又、本発明（請求項４）では、弁付ソケット内に吐水口管を挿入嵌合すれば、吐水口管がプラグとして機能するカプラ構造が形成される。
そして、接続管の弁付ソケットへの挿入嵌合によって、弁付ソケット内の弁体が開放し、水タンク内と吸水流路とが連通するため、その接続作業と連通作業を同時に行なうことができ、接続作業が簡単になる。
又、弁付キャップと弁付ソケットとの二重弁構造を備えた接続構造になるため、雑菌の侵入を防止でき、衛生面を確保できる。
【発明を実施するための最良の形態】
【００１７】
以下、本発明の実施の形態を図面に示す実施例より説明する。なお、以下の各実施例において、同一構成部分については、図面の符号を同一にする。
【００１８】
図１は本発明の請求項１に対応した第１実施例に係る飲料用給水機の模式図、図２はこの飲料用給水機における水タンクと吸水流路との接続構造を示す分解断面図、図３は弁付キャップを筒状口部に装着した状態を示す断面図、図４は指掛けリングの引き上げにより弁付キャップの吐水口管を開放させた状態を示す断面図、図５は水タンクと吸水流路との接続構造を示す断面図である。
【００１９】
先ず、飲料用給水機の構成を説明する。
この飲料用給水機は、吸水流路１と、冷水流路２と、温水流路３を備えている。
【００２０】
前記吸水流路１は、飲料水を収容した水タンク４の筒状口部４０に着脱可能に接続させる接続管１０が吸水管１１の基端に設けられ、この吸水管１１の先端に形成した分岐管１２，１２が貯水タンク１３及び冷水流路２の冷水タンク２０の内部に挿入するように配管されている。
前記吸水管１１の途中には、ポンプ１４が取り付けられ、前記接続管１０を水タンク４の筒状口部４０に接続させた状態で、このポンプ１４を作動させることで、水タンク４内の飲料水を貯水タンク１３及び冷水タンク２０に導水するようになっている。
【００２１】
前記ポンプ１４は間欠送水ポンプに形成されている。
この間欠送水ポンプは、吸水管１１の途中に形成した蛇腹状の拡縮室１４ａを往復駆動部１４ｂにより拡大縮小させ、この拡大縮小動作に対応して、入口側と出口側に設けた開閉弁（図示省略）を交互に開閉させて、水タンク４からの水を間欠的に送水するようになっている。
このように、間欠送水ポンプを用いると、貯水タンク１３及び冷水タンク２０に飲料水を間欠的に送水することができるため、水の勢いによって飲料水を十分に攪拌させることができ、タンク内にミネラル分が付着したり、堆積したりするのを防止して、衛生的に使用することができる。
なお、ポンプとしては、間欠送水ポンプに限らず、モータ駆動で回転するインペラ等を備えた従来周知のポンプを使用できる。
【００２２】
前記冷水流路２は、冷水タンク２０の底部から冷水管２１が延長配管され、この冷水管２１の先端に冷水吐出口２２が形成された構造になっている。
【００２３】
前記冷水タンク２０は、前記吸水流路１によって導水した飲料水を収容して冷却させるためのもので、外周下側に冷凍サイクル（図示省略）の蒸発管２０ａが巻き付けられ、この蒸発管２０ａによって冷却された冷水が水圧により冷水管２１を通して冷水吐出口２２から取り出せるようになっている。
【００２４】
前記貯水タンク１３は、前記吸水流路１によって導水した飲料水を収容させるためのもので、水位が一定レベル以下になると、これを水位センサ１３ａが感知して前記ポンプ１４を作動させ、タンク内水位を所定の水位に保持させるようになっている。
【００２５】
前記温水流路３は、前記貯水タンク１３の底部から延長した第１送水管３０が温水タンク３１の底部に接続されると共に、前記冷水タンク２０の底部から延長した第２送水管３２が第１送水管３０の途中に接続され、この第１送水管３０及び第２送水管３２によって貯水タンク１３及び冷水タンク２０の飲料水を温水タンク３１に導水するようになっている。
また、前記温水タンク３１の上部から温水管３３が延長配管され、この温水管３３の先端に温水吐出口３４が形成された構造になっている。
又、温水タンク３１の上部から前記貯水タンク１３の上部に蒸気管３５が延長配管されている。
【００２６】
前記第１送水管３０の途中にはドレン管３６が分岐配管され、このドレン管３６に設けたドレンコック３７の閉鎖状態では、上記のように、貯水タンク１３及び冷水タンク２０の飲料水を第１送水管３０及び第２送水管３２によって温水タンク３１に導水することができる。
他方、ドレンコック３７の開放状態では、貯水タンク１３及び冷水タンク２０及び温水タンク３１及び各配管内の飲料水を第１送水管３０及び第２送水管３２及びドレン管３６によって外部に排水することができるようになっている。
【００２７】
前記温水タンク３１は、収容した飲料水を加熱して温水を得るためのもので、外周下側にバンドヒータ３１ａが巻き付けられ、このバンドヒータ３１ａによって加熱された温水が、水圧により温水管３３を通して温水吐出口３４から取り出せるようになっている。
又、この温水タンク３１は、その外周が保温空間３８を介して保温カバー３９により覆われている。
【００２８】
なお、前記貯水タンク１３及び冷水タンク２０には、冷却水の増減に応じて吸気又は排気させる吸気弁９０及び排気弁９１が取り付けられている。
吸気弁９０及び排気弁９１は、貯水タンク１３及び冷水タンク２０に直接に取り付けられ、吸気弁９０は、冷却水が減少すると開放して、タンク内部に空気を吸入させ、排気弁９１は、冷却水が増加すると開放して、タンク内部の空気を排出させるようになっている。
【００２９】
図示省略したが、前記貯水タンク１３及び冷水タンク２０及び温水タンク３１の内部には、布や網等に包んだ状態の抗菌セラミックボールが収容されている。
又、前記冷水吐出口２２及び温水吐出口３４の内部、各配管の途中、ポンプ１４の内部にも抗菌セラミックボールが収容されている。
又、前記吸気弁９０及び排気弁９１の内部には、抗菌フイルタが収容されている。
このように、各部に抗菌セラミックボールや抗菌フイルタを設けるようにすると、雑菌の繁殖を抑えて、衛生面を向上できる。
【００３０】
前記水タンク４は、自在に変形可能な柔軟フイルムによって形成されたフイルムタンクに形成されている。
水タンク４（フイルムタンク）の素材としては、柔軟フイルム（ポリプロピレンフイルムやポリエチレンラミネートフイルム等）が用いられ、又、人体に害（例えば、環境ホルモンの溶出や臭気）を及ぼすことがないような素材を用いる。
なお、この水タンク４には、予め、飲料水（ミネラル水）が密封状態で収容されている。
【００３１】
本実施例の飲料用給水機では、通常の使用に際しては、吸水管１１（吸水流路１）の接続管１０を水タンク４の筒状口部４０に接続させておく。
この状態では、水タンク４から吸水流路１を通して貯水タンク１３及び冷水タンク２０に飲料水が送水され、冷水タンク２０内で冷却された冷水を、冷水管２１を通して冷水吐出口２２から取り出すことができる。
又、冷水タンク２０及び貯水タンク１３から飲料水が第１送水管３０及び第２送水管３２を通して温水タンク３１に流入し、ここで加熱された温水を温水管３３を通して温水吐出口３４から取り出すことができる。
【００３２】
次に、本発明の要部となる水タンク４と吸水流路１との接続構造について説明する。
上記したように、吸水管１１の基端に設けた接続管１０は、飲料水を収容した水タンク４の筒状口部４０に着脱可能に接続されるもので、この筒状口部４には弁付キャップ５が着脱可能に装着されている。
【００３３】
この弁付キャップ５は、図２で示すように、外筒部５０と、この外筒部５０の内周上部から下向き湾曲状に突出した薄肉上面壁５１と、外筒部５０に形成した吐水口管５２と、薄肉上面壁５１を引上げ変形させて吐水口管５２を開放させるための指掛けリング５３（手動開放手段）と、この指掛けリング５３を係止して引き上げ状態に保持させる突出部５４（保持手段）を備えている。
なお、図中５５は吐水口管用キャップである。
【００３４】
そして、図３に示すように、前記水タンク４の筒状口部４０を、前記弁付キャップ５の外筒部５０の内周面と薄肉上面壁５１の外周面の間に挿入させることで、筒状口部４１に弁付キャップ５が装着され、その装着状態で、薄肉上面壁５１が筒状口部４０の上端外周４０ａに密着し、前記吐水口管５２が閉鎖されるように形成されている。
【００３５】
なお、図４に示すように、前記指掛けリング５３により薄肉上面壁５１を引き上げて、この指掛けリング５３を突出部５４に係止して引き上げ状態に保持させると、吐水口管５２を開放状態に保持させることができる。これにより、水タンク４を吸水流路１に接続しない状態おいても、必要に応じて吐水口管５２を開放させることができる。
【００３６】
接続に際しては、図５に示すように、吸水管１１の基端に設けた接続管１０を前記弁付キャップ５の吐水口管５２内に挿入嵌合させるもので、これにより、接続管１０の先端部によって前記薄肉上面壁５１が押上げ変形されて吐水口管５２が開放し、水タンク４内と吸水管１１（吸水流路１）とを連通させることができる。
なお、前記吐水口管５２と接続管１０はテーパ嵌合されている。
【００３７】
このように、本飲料用給水機における水タンク４と吸水流路１との接続構造では、接続管１０を弁付キャップ５の吐水口管５２内に挿入嵌合させない状態では、筒状口部４０に装着した弁付キャップ５の吐水口管５２が閉鎖されているため、この吐水口管５２からの雑菌の侵入を防止でき、衛生面を確保できる。
【００３８】
接続管１０を吐水口管５２内に挿入嵌合すれば、吐水口管５２がソケットとして機能し、接続管１０がプラグとして機能するカプラ構造が形成される。
そして、接続管１０の吐水口管５２への挿入嵌合によって、薄肉上面壁５１が押上げ変形されて吐水口管５２が開放し、水タンク４内と吸水管１１とが連通するため、その接続作業と連通作業を同時に行なうことができ、接続作業が簡単になる。
【００３９】
又、前記吐水口管５２と接続管１０は、テーパ嵌合されているため、その嵌合状態を確実に保持させることができる。
【００４０】
次に、図６は本発明の請求項２に対応した第２実施例に係る飲料用給水機において、水タンクと吸水流路との接続構造を示す分解断面図、図７はその接続構造を示す断面図である。
【００４１】
この実施例では、吸水管１１（吸水流路１）の基端に弁付ソケット６が設けられ、この弁付ソケット６内に弁付キャップ５の吐水口管５２を挿入嵌合して接続するように形成されている。
前記弁付ソケット６の内部には、図６で示すように、吐水口管５２の挿入嵌合状態で、吐水口管５２の外周に形成した係止溝５２ａに係合させる係止爪６１が設けられると共に、吐水口管５２の先端により押されて後退することで開放する弁体６２が組み込まれている。
尚、この弁付ソケット６は、従来、一般に知られているワンタッチカプラの弁付ソケットと同様のものを用いることができる。
【００４２】
従って、図７で示すように、吐水口管５２を弁付ソケット６内に挿入嵌合して接続させると、係止溝５２ａに係止爪６１が係合して、その挿入嵌合状態を保持させると同時に、弁体６２が吐水口管５２の先端により押されて後退して開放し、水タンク４内と吸水管１１（吸水流路１）とを連通させることができる。
【００４３】
上記した接続構造では、弁付ソケット６内に吐水口管５２を挿入嵌合すれば、吐水口管５２がプラグとして機能するカプラ構造が形成される。
そして、吐水口管５２の弁付ソケット６への挿入嵌合によって、弁付ソケット６内の弁体６２が開放し、水タンク４内と吸水管１１とが連通するため、その接続作業と連通作業を同時に行なうことができ、接続作業が簡単になる。
又、弁付キャップ５と弁付ソケット６との二重弁構造を備えた接続構造になるため、雑菌の侵入を防止でき、衛生面を確保できる。
【００４４】
なお、本発明において、飲料用給水機としては、前記図１で示した飲料用給水機における貯水タンク１３を省略し、これに伴ない、冷水タンク２０内の上部から温水タンク３１の底部に延長して送水管を配管させるようにした構造の飲料用給水機に形成してもよい。
又、吸水流路と冷水流路を備えた冷水専用の飲料用給水機に形成してもよいし、吸水流路と温水流路を備えた温水専用の飲料用給水機に形成してもよい。
【図面の簡単な説明】
【００４５】
【図１】本発明の請求項１に対応した第１実施例に係る飲料用給水機の模式図である。
【図２】この飲料用給水機における水タンクと吸水流路との接続構造を示す分解断面図である。
【図３】弁付キャップを筒状口部に装着した状態を示す断面図である。
【図４】指掛けリングの引き上げにより弁付キャップの吐水口管を開放させた状態を示す断面図である。
【図５】水タンクと吸水流路との接続構造を示す断面図である。
【図６】本発明の請求項２に対応した第２実施例に係る飲料用給水機において、水タンクと吸水流路との接続構造を示す分解断面図である。
【図７】その接続構造を示す断面図である。
【符号の説明】
【００４６】
１  吸水流路
１０  吸水口
１１  吸水管
１２  分岐管
１３  貯水タンク
１３ａ  水位センサ
１４  ポンプ
１４ａ  拡縮室
１４ｂ  往復駆動部
２  冷水流路
２０  冷水タンク
２０ａ  蒸発管
２１  冷水管
２２  冷水吐出口
３  温水流路
３０  第１送水管
３１  温水タンク
３１ａ  バンドヒータ
３２  第２送水管
３３  温水管
３４  温水吐出口
３５  蒸気管
３６  ドレン管
３７  ドレンコック
３８  保温空間
３９  保温カバー
４  水タンク
４０  筒状口部
５  弁付キャップ
５０  外筒部
５１  薄肉上面壁
５２  吐水口管
５２ａ  係止溝
５３  指掛けリング（手動開放手段）
５４  突出部（保持手段）
５５  吐水口管用キャップ
６  弁付ソケット
６１  係止爪
６２  弁体
９０  吸気弁
９１  排気弁
【図１】
2006117248.tif 000003
【図２】
2006117248.tif 000004
【図３】
2006117248.tif 000005
【図４】
2006117248.tif 000006
【図５】
2006117248.tif 000007
【図６】
2006117248.tif 000008
【図７】
2006117248.tif 000009